(57)【要約】【課題】通常の厚みの畳と同様の感触と硬さを有し、反りや歪みのない薄畳を提供する。【解決手段】半畳の大きさのい草から成る中芯用畳表12とクッション部材14を積層した芯材と、この芯材の上面に配置するい草から成る化粧畳表10と、芯材の裏面に配置する裏打用畳表16とからなる縁付き薄畳である。化粧畳表は、芯材を構成する中芯用畳表とそのい草の方向が直交する方向に積層し、その両端部を芯材の縁部から下面に巻き込んで接着する。裏打用畳表16も、い草からなり、芯材の裏面に巻き込まれた化粧畳表の部分以外の部分を裏打ちする。芯材の裏面で裏打用畳表と化粧畳表の境界部を粘着テープで接着する。その後これらの積層体の両側縁部を畳へりを配置して共に縫製し、縫製後この畳へりを裏面側に巻き込んで接着剤により接着する。【選択図】図３
0003115091.tif 000002
【実用新案登録請求の範囲】
【請求項１】
天然又は人工い草から成る適宜大きさの畳表材(12)とこの畳表材(12)と略同一の大きさのクッション部材(14)の何れか一方を上面に配した芯材と、この芯材の上面に配置する天然又は人工い草から成る畳表(10)と、芯材の裏面に配置する裏打材(16)とからなり、
畳表(10)は、芯材を構成する畳表材(12)とそのい草の方向が直交する方向に積層して、その一方端部とこれに対向する他方端部を芯材の縁部から下面に巻き込むようにして接着し、裏打材(16)は、畳表(10)と略同一の厚みを有し、芯材の裏面に巻き込まれた畳表(10)の部分以外の部分を裏打ちできる大きさのものを使用し、
芯材の裏面で裏打材(16)と畳表(10)の境界部を粘着テープ(22)で接着し、
その後、これらの積層体の両側縁部の上面側に畳へり(30)を配置してその一側縁と共に縫製し、縫製後この畳へり(30)を裏面側に巻き込んで、積層体の裏面両側縁部に接着してなる薄畳。
【請求項２】
請求項１において、クッション部材(14)として断熱材を用い、また、その厚みを畳表(10)と略同一とし、且つ、裏打材(16)として天然又は人工い草から成る畳表材を使用したことを特徴とする薄畳。
【請求項３】
請求項１又は２において、芯材の裏面で裏打材(16)と畳表(10)の境界部を接着する粘着テープ(22)の粘着面と反対側の面に滑り止め処理又は加工が施されたことを特徴とする薄畳。
【考案の詳細な説明】
【技術分野】
【０００１】
本考案は、その厚みが略１０ｍｍ程度の薄い畳に関し、木材や合成樹脂製の洋室のフローリングの上に敷き詰め、或いは単に載置して使用する薄畳に関するものである。
【背景技術】
【０００２】
従来の薄畳としては、下記特許文献１に記載のクッションフロア畳を挙げることができる。このクッションフロア畳は、塩化ビニル樹脂を主原料としたクッションフロアを畳芯材の上面部及び側面部に覆い、畳芯材の側面部もしくは下面部に折り返して縫着したものであり、上記クッションフロアに畳表の模様を印刷したものである。
その畳芯材としては、稲藁、木質系インシュレーションボード、発泡プラスチック保温材が使用されていた。その他畳芯材としては、ベニヤ合板や樹脂製ボード等が使用されていた。
【特許文献１】実用新案登録第３０７８７６４号公報
【考案の開示】
【考案が解決しようとする課題】
【０００３】
上記従来のクッションフロア畳は、その芯材が従来の畳芯材と共通するものの、その畳表が畳表の模様を印刷した塩化ビニル樹脂シートを用いているため、全く天然又は人工い草から成る畳とはその足で感じる触感が全く異なるものであり、どちらかというとフロアーマット或いはプラスチックタイルの範疇に入るようなものといえる。
また、薄畳の芯材として、各種のボードや合板を使用した場合には、それが反り返り現象を引き起こしたり、歪みが生じてしまうために、その芯材をある程度の厚みに形成する必要があり、薄畳として形成することが困難であった。
【０００４】
そこで、本考案においては、その厚みが約１０ｍｍ程度の薄い畳であっても、反り返りや歪みが生じず、しかも、従来から使用されていた通常の畳床からなる通常の厚みの畳と同様の感触と硬さを得ることができる薄畳を提供することがその課題である。
この薄畳は、木材製又は合成樹脂製のフローリングの上に敷き詰めて使用するものであるため、そのフローリングから受ける冷たい感触を緩和させるための効能をも付加することも本考案の課題である。
更に、この薄畳は、上記フローリングの上全体に敷き詰めて使用するためばかりでなく、その１枚又は数枚をそのフローリングの上に単に載置して、所謂、置き薄畳として使用することも出来るものである。この場合には、この薄畳がフローリング上を滑ってしまわないようにすることも本考案の課題である。
【課題を解決するための手段】
【０００５】
上記課題を解決するために、本考案の第１のものは、天然又は人工い草から成る適宜大きさの畳表材とこの畳表材と略同一の大きさのクッション部材の何れか一方を上面に配した芯材と、この芯材の上面に配置する天然又は人工い草から成る畳表と、芯材の裏面に配置する裏打材とからなり、畳表は、芯材を構成する畳表材とそのい草の方向が直交する方向に積層して、その一方端部とこれに対向する他方端部を芯材の縁部から下面に巻き込むようにして接着し、裏打材は、畳表と略同一の厚みを有し、芯材の裏面に巻き込まれた畳表の部分以外の部分を裏打ちできる大きさのものを使用し、芯材の裏面で裏打材と畳表の境界部を粘着テープで接着し、その後、これらの積層体の両側縁部の上面側に畳へりを配置してその一側縁と共に縫製し、縫製後この畳へりを裏面側に巻き込んで、積層体の裏面両側縁部に接着してなる薄畳である。
【０００６】
本考案の第２のものは、上記第１の考案において、クッション部材として断熱材を用い、また、その厚みを畳表と略同一とし、且つ、裏打材として天然又は人工い草から成る畳表材を使用したことを特徴とする薄畳である。
本考案の第３のものは、上記第１又は第２の考案において、芯材の裏面で裏打材と畳表の境界部を接着する粘着テープの粘着面と反対側の面に滑り止め処理又は加工を施したことを特徴とする薄畳である。
【考案の効果】
【０００７】
本考案の第１のものにおいては、芯材が、畳表材とクッション部材との積層体からなり、この芯材が反り返りや歪みを生じることが無い。
また、芯材を構成する畳表材と畳表を構成するそれぞれのい草の方向が直交するように配置されているために、その厚みを極めて薄く構成したにも関わらず、一定の張りを維持することができ、その全体としての保形性が維持される。
芯材を構成するクッション部材を芯材の上又は下に配置し、これにより薄畳でありながら、通常の畳床からなる通常の厚みの畳と同様の感触を発揮させることができる。特に、このクッション部材を芯材の下側に配置した場合には、通常の厚みの畳と同等の感触と硬さを得ることができる。
更に、裏打材をその裏面に配置しているために、この薄畳は、最上面の畳表が裏面側に巻き込まれるように形成されるが、実質的には合計４枚のシート状のものが積層したものとなり、これにより全体が一様の厚みを得ることができ、床上に載置した際に、その全体で凸凹感がなく、違和感を感じることがない。
本考案においては、その構成上、畳へりがい草の方向と直交する両側縁部に形成されるものであるが、この畳へりの存在により、より高級感のある薄畳として形成することができる。
【０００８】
本考案の第２のものにおいては、クッション部材として断熱材を使用しているために、木材製又は合成樹脂製のフローリングに敷き詰めたとしても、そのフローリングの冷たさ感を遮断することができる。
また、裏打材として、畳表と同種のい草からなる畳表材を使用したために、その全体の厚みが一様となり、且つ、硬さと触感も普通の厚みの畳と同様のものとなる。
本考案の第３のものにおいては、芯材の裏面で裏打材と畳表の境界部を接着する粘着テープの粘着面と反対面に滑り止め処理を施したことにより、軽量の本考案薄畳がフローリング上で簡単に滑ってしまうという問題を解消できる。
尚、本考案にかかる薄畳は、洋室のフローリングに敷き詰めるばかりでなく、和室の古くなった畳の上や、汚れた畳の上に敷き詰めることもできるものである。
【考案を実施するための最良の形態】
【０００９】
以下、添付の図面と共に本考案の最良の実施形態について説明する。
図１は、本考案に係る薄畳の分解斜視説明図である。本考案の薄畳の大きさ及び形状は半畳の略正方形のものである。この大きさは、適宜必要に応じて種々設定することができ、長方形のものを製作することも当然可能である。
１０が一番上面に位置する化粧畳表であり、天然い草からなり、そのい草は図示した通り上下方向に配置され編成されたものである。また図中左右方向の長さは、その両端部が芯材の左右両端部から裏面に巻き込まれるように形成されるために、縦方向の長さよりも少し長いものを使用している。
【００１０】
１３が芯材を示し、上方に位置する中芯用畳表１２と下方に位置するクッション部材１４とが積層されたものであり、略正方形で半畳の大きさのものである。
中芯用畳表１２は、上記化粧畳表１０と同様天然い草からなり、そのい草の方向が左右方向に配置され、上記化粧畳表１０のい草の方向と直交する方向に配置されている。
これにより、い草の目と並行方向においては、化粧畳表１０及び中芯用畳表１２は、簡単に折れ曲がることができるが、い草の目と直交する方向にはこれら化粧畳表１０及び中芯用畳表１２は容易に折れ曲がらないために、これらのい草の目を相互に直交させることによりこの薄畳は、全体として容易には折れ曲がらず、一定の平面的な形状を保持することが可能となるのである。しかも、この構成により薄畳は、それがフローリング上に載置されるとその平面形状を維持し、反り返りや歪みの現象も生じないのである。
【００１１】
１６が芯材１３の裏面に配置される裏打材を示し、本実施形態においては、上記化粧畳表１０及び中芯用畳表１２と同様に畳表材（裏打用畳表）を使用している。
この裏打用畳表１６は、化粧畳表１０が裏面側に巻き込まれる部分を考慮して、左右方向の長さが上下方向の長さよりも少し短いものを使用している。これにより裏打用畳表１６を芯材１３の裏面に接合することによって、この薄畳の厚みが一様となる。
【００１２】
図２は、化粧畳表と芯材との接合状態を図示する説明図であり、その（Ａ）が上面側から見た斜視説明図、その（Ｂ）が下面側から見た斜視説明図である。
略半畳の大きさの正方形の中芯用畳表１２の下面に、クッション部材１４として合成樹脂製のエサホームのシート状体を重ね合わせ、芯材とする。このエサホームが断熱材となる。これらの相互の接合面は互いに接着等されていないが、図中左側と右側の接合端部を両面接着テープ２０、２０、・・・によりその外側から接着している。接着箇所の数は、全く自由であり、必要に応じて任意に設定することができる。この実施形態では両側の各々４箇所で接着している。この際に、両面接着テープ２０の下面側（クッション部材１４の裏面側）の長さを化粧畳表１０の裏面巻き込み端部１０ｔ、１０ｔの巻き込み長さよりも長くしておく。これにより、後に説明する裏打用畳表を裏面に貼り付ける際に便宜となる。
【００１３】
更に、接着手順を具体的に説明すると、芯材としての中芯畳表１２とクッション部材１４とを重ね合わせ、その左右の両端部の適宜箇所を両面接着テープの一方の剥離紙を剥がして相互に接着し、その後一方の側の（例えば図中右側の）両面接着テープの他方の剥離紙を剥がして、化粧畳表の一方端部を芯材の一方の縁部に接着し、その後接着した部位を固定して、他方の両面接着テープの剥離紙を剥がして後、畳表の他方端部を接着するのである。この接着が完了した状態を図２が図示している。
【００１４】
次に、図３は、裏打材を貼着する状態を示しており、その（Ａ）が裏打材を貼着する直前の状態を示す斜視説明図、その（Ｂ）が裏打材を貼着した状態の斜視説明図である。
図３（Ａ）の下方にに示されたものは、図２に図示した芯材と化粧畳表の積層体１５と同一であり、この積層体１５の裏面（図３において上面）に裏打材としての裏打用畳表１６が貼着されるのである。
両面接着テープ２０のそれぞれの接着面に裏打用畳表１６の図中左右両端部を貼り付けることにより裏打用畳表１６は、芯材の裏面に接着され、その後、図３（Ｂ）に図示した通り、粘着テープ２２、２２によって、裏打用畳表１６と化粧畳表１０との境界線部分が接着されるのである。
【００１５】
尚、この粘着テープ２２の粘着面と反対側（裏面側、図中では上面側）は、図には示していないが、滑り止めの処理又は加工が施されている。この滑り止め処理又は加工としては、種々の方法が考えられるが、摩擦係数の高い合成樹脂材を塗布したり、柔軟な合成樹脂を点在塗布するようにしてもよく、従来から存在する滑り止め処理又は滑り止め加工を施して構成することができる。
これにより、この薄畳がフローリング上に載置された際の滑り止めとなる。
【００１６】
図４は、上記図２及び図３で説明した化粧畳表、芯材、及び裏打用畳表の接合手順を示す説明図である。
先ず第一に、芯材としての中芯用畳表１２を上に、クッション部材１４を下にして重ね合わせ、両面接着テープ２０により左右それぞれの端部を接着する。
この際、両面接着テープ２０の裏面側（図中下側）の長さを、化粧畳表１０の裏面巻き込み長さよりも長くしておく。
その次に、化粧畳表１０の一方端部側、例えば図中右側端部側を芯材の右端部上面に接着し、その後裏面側に巻き込んで接着する。
【００１７】
この接着した右端部を適宜クリップ等で固定する。
その後、化粧畳表１０の左端部側を左側に引き寄せて、芯材１３の左端部上面に接着し、その後芯材の裏面側に巻き込み接着する。
最後に、裏打用畳表１６を、化粧畳表１０が裏面側に巻き込まれた両側部分の間に貼り付ける。
その後、図示はしていないが、粘着テープによって化粧畳表１０と裏打用畳表１６の境界部分を貼着するのである。
【００１８】
図５は、図３及び図４で作成された積層体の両側縁部を、畳へりと共に縫製する状態を図示する説明図である。
図３に示した積層体１７の図中上下の側縁部を縫着するに際し、畳へりを同時に縫着する。この手順は、従来の方法と同様で、縁布３０に縁下紙３１を重ねて縫着する。
即ち、縁布３０の裏面（図では上面）に縁下紙３１を重ね合わせ、その図中下縁部を積層体１７の下方側縁部と共に縫着する。その後、縁布３０と縁下紙３１を下方に折り曲げ、積層体１７の裏面側に巻き込み、縁布３０を積層体１７の裏面に接着剤により接着する。
この接着に際しては、ホットメルトテープによって接着してもよい。また、縁布３０の左右の端部は、裏面に巻き込んで裏面側の縁布３０と裏打材１６との間に接着するようにして、所謂、角を立てるようにする。
尚、縁布の積層体裏面側への接着は、粘着テープによって行ってもよく、その場合には縁布３０を積層体１７の裏面側に巻き込んだ後に、その上から粘着テープを貼り付け固定することができる。
以上の手順を積層体の上方の側縁部においても施し、本考案の薄畳が完成する。
【００１９】
この完成した本考案の薄畳を図６が図示しており、その（Ａ）が上面側から見た斜視図、その（Ｂ）が下面側から見た斜視図である。
図６（Ａ）に図示した通り、本考案に係る薄畳は、その上面に天然い草からなる化粧畳表が位置し、その上方及び下方の側縁部には、適宜柄が施された畳へり３０が現れ、半畳の大きさで厚さ約１０ｍｍの薄畳が完成した。
図６（Ｂ）は、本考案に係る薄畳の裏面を示し、その裏面には、本考案の薄畳の積層体を形成する粘着テープ２２が左右両側端部部分に上下方向に配置しており、その裏面に施された滑り止め材によりフローリング上に載置した際に滑り止めの効果を発揮する。
【００２０】
以上、一実施形態について説明したが、本考案においては以下の通り設計変更することが可能である。
本考案の薄畳の大きさは、上記実施形態では半畳のものを例示したが、種々必要に応じて設定することができ、長方形とすることも可能である。
化粧畳表、芯材を構成する中芯用畳表、裏打材としての裏打用畳表は、天然のい草を使用したが、人工の畳表を使用することも出来る。
裏打材としての裏打用畳表も、他の素材を利用することができ、柔軟な合成樹脂シートを使用してもよいが、その厚みは畳表と同一とすることが必要である。これにより薄畳の厚みを一様にすることができるからである。
クッション部材は、上記実施形態では、芯材の下面側に配置したが、芯材の上面側に配置してもよい。クッション部材の厚みも畳表材よりも少し厚手のものを使用してもよい。
【００２１】
芯材を仮接着するための両面接着テープもそれぞれの側面でその接着箇所を自由に選択することができ、大きさの大きいものであれば、その接着箇所を多く、小さいものであれば、その接着箇所を少なくすることができる。
薄畳の裏面の裏打材と化粧畳表の境界部分を接着する粘着テープも、その裏面の両側縁部間の全体に貼り付けて、畳へりと重ねてもよいが、この畳へりと積層しないように貼着したほうが好ましい。薄畳の厚みをその全体でより一様とするためである。
裏面粘着テープの裏面側に付加する滑り止め材の材質も全く自由に選択することができ、滑り止め処理又は加工は自由に選択して採用することができる。
以上、本考案は、厚さ１０ｍｍ程度の薄くて軽く、保形性に優れ、反り返りや歪みがなく、しかも普通の厚みの畳と同様の感触と硬さを有する薄畳を提供することができた。
【図面の簡単な説明】
【００２２】
【図１】本考案の実施形態に係る薄畳の分解斜視説明図である。
【図２】本考案の実施形態に係る化粧畳表と芯材との接合状態を図示する説明図であり、その（Ａ）が上面側から見た斜視説明図、その（Ｂ）が下面側から見た斜視説明図である。
【図３】本考案の実施形態に係る裏打材を貼付する状態を示しており、その（Ａ）が裏打材を貼着する直前の状態を示す斜視説明図、その（Ｂ）が裏打材を貼着した状態の斜視説明図である。
【図４】本考案の実施形態に係る化粧畳表、芯材、及び裏打用畳表の接合手順を示す説明図である。
【図５】図３に示された本考案に係る積層体の両側縁部を、畳へりと共に縫製する状態を図示する斜視説明図である。
【図６】本考案の実施形態に係る薄畳の完成図を示しており、その（Ａ）が上面側から見た斜視図、その（Ｂ）が下面側から見た斜視図である。
【符号の説明】
【００２３】
１０…化粧畳表
１２…中芯用畳表
１４…クッション部材
１６…裏打用畳表
２０…両面接着テープ
２２…粘着テープ
３０…縁布（畳へり）
３１…縁下紙
【図１】
0003115091.tif 000003
【図２】
0003115091.tif 000004
【図３】
0003115091.tif 000005
【図４】
0003115091.tif 000006
【図５】
0003115091.tif 000007
【図６】
0003115091.tif 000008